(57)【要約】【課題】ユーザによる面倒な操作を要することなく、近距離無線通信の接続状態を改善することを目的とする。【解決手段】無線通信手段を有する無線通信装置であって、無線通信装置の傾き角度を特定する特定手段と、傾き角度が所定の条件を満たす場合に、ユーザに傾き角度の変更を促す通知情報を出力する出力手段とを有し、出力手段は、所定の角度への傾き角度の変更を促す通知情報を出力する。【選択図】図４
2017050625.tif 000002
【特許請求の範囲】
【請求項１】
無線通信手段を有する無線通信装置であって、
前記無線通信装置の傾き角度を特定する特定手段と、
前記傾き角度が所定の条件を満たす場合に、ユーザに前記傾き角度の変更を促す通知情報を出力する出力手段と
を有することを特徴とする無線通信装置。
【請求項２】
前記出力手段は、前記所定の角度への前記傾き角度の変更を促す前記通知情報を出力することを特徴とする請求項１に記載の無線通信装置。
【請求項３】
前記無線通信装置の起動時に、前記傾き角度が前記所定の条件を満たすか否かを判断する判断手段をさらに有し、
前記出力手段は、前記判断手段が前記所定の条件を満たすと判断した場合に、前記通知情報を出力することを特徴とする請求項１又は２に記載の無線通信装置。
【請求項４】
前記無線通信手段が情報を受信した場合に、前記傾き角度が所定の条件を満たすか否かを判断する判断手段をさらに有し、
前記出力手段は、前記判断手段が前記所定の条件を満たすと判断した場合に、前記通知情報を出力することを特徴とする請求項１又は２に記載の無線通信装置。
【請求項５】
無線通信手段を有する無線通信装置が実行する通信制御方法であって、
前記無線通信装置の傾き角度を特定する特定ステップと、
前記傾き角度が所定の条件を満たす場合に、ユーザに前記傾き角度の変更を促す通知情報を出力する出力ステップと
を含むことを特徴とする通信制御方法。
【請求項６】
無線通信手段を有する無線通信装置のコンピュータを、
前記無線通信装置の傾き角度を特定する特定手段と、
前記傾き角度が所定の条件を満たす場合に、ユーザに前記傾き角度の変更を促す通知情報の出力する出力手段と
して機能させるためのプログラム。
【発明の詳細な説明】
【技術分野】
【０００１】
本発明は、無線通信装置、通信制御方法及びプログラムに関する。
【背景技術】
【０００２】
従来、携帯端末にＢＬＥ（Bluetooth（登録商標）  Low  Energy）等の近距離無線通信手段が搭載された携帯端末が知られている。ＢＬＥではモバイル端末等の間で距離測定が可能であり、この技術を用いると、近傍にある機器を探索することができる。例えば印刷制御にこの技術を応用すれば、近傍にあるプリンタを探索し、印刷データを他の通信手段で送信し、所望のプリントを手に入れることができる。ところが近距離無線通信では送信電力が低いため、受信状態が短時間で変化してしまい、一度は受信できた端末でも安定して通信できない場合がある。これに対して、電波強度を検出し、無線通信可能な状態になったと判断した場合に、無線通信可能な状態を維持するためにユーザがとるべき姿勢について、通知する通知する技術がある（特許文献１参照）。
【先行技術文献】
【特許文献】
【０００３】
【特許文献１】特開２００９−２００８２６号公報
【発明の概要】
【発明が解決しようとする課題】
【０００４】
しかしながら、特許文献１の技術では、ユーザはまず回転運動を行い、その後指示された姿勢を取る必要があり、ユーザにとって手間であるという問題があった。
【０００５】
本発明はこのような問題点に鑑みなされたもので、ユーザによる面倒な操作を要することなく、近距離無線通信の接続状態を改善することを目的とする。
【課題を解決するための手段】
【０００６】
そこで、本発明は、無線通信手段を有する無線通信装置であって、前記無線通信装置の傾き角度を特定する特定手段と、前記傾き角度が所定の条件を満たす場合に、ユーザに前記傾き角度の変更を促す通知情報を出力する出力手段とを有することを特徴とする。
【発明の効果】
【０００７】
本発明によれば、ユーザによる面倒な操作を要することなく、近距離無線通信の接続状態を改善することができる。
【図面の簡単な説明】
【０００８】
【図１】ＭＦＰを示す図である。
【図２】携帯端末装置を示す図である。
【図３】携帯端末装置及びＭＦＰの利用形態の説明図である。
【図４】ＭＦＰと携帯端末装置の通信制御処理を示すシーケンス図である。
【図５】表示画面を示す図である。
【図６】メモリマップを示す図である。
【図７】表示画面を示す図である。
【図８】表示画面を示す図である。
【図９】変更例に係る処理を示すフローチャートである。
【発明を実施するための形態】
【０００９】
以下、本発明の実施形態について図面に基づいて説明する。
（第１の実施形態）
本実施形態においては、無線通信装置としての携帯端末装置が、無線通信可能なＭＦＰ（Multi  Function  Printer）との間で近距離無線通信を行う際に、携帯端末装置における接続状態を改善する場合を例に説明する。図１は、ＭＦＰ１０１を示す図である。ＭＦＰ１０１は、外部Ｉ／Ｆを通じて、外部の情報機器から入力される印刷データを受信する。ＭＦＰ１０１は、印刷データを受信した後、画像形成を行なって、プリントエンジン１０５に画像データを出力し、シート状の印刷用紙に画像を形成する。また、ＭＦＰ１０１は、リーダ部１０４にセットされた原稿をスキャンして画像データに変換して、外部インターフェースに出力する。
【００１０】
１０２は、ＭＦＰ１０１全体の制御を行うＭＦＰ制御部である。ＭＦＰ制御部１０２は、プリント基板上に各種ＬＳＩ・ＩＣ等の電気部品を搭載することで実現することができる。ＭＦＰ制御部１０２は、例えば、外部の機器から各種Ｉ／Ｆを経由して受け取る印刷データに基づいて、印刷動作を行う。ＭＦＰ制御部１０２はまた、画像読み取りを行い各種Ｉ／Ｆを経由してデータ送信を行う。ＭＦＰ制御部１０２はまた、コピー動作を行う。
【００１１】
１０３は、操作部である。操作部１０３は、使用者からの入力及び使用者への各種表示を行うことができる。１０４は、画像の入力を行うリーダ部である。１０５は、用紙に対して画像を形成するプリントエンジンである。ＭＦＰ制御部１０２は、操作部１０３、リーダ部１０４及びプリントエンジン１０５を低消費電力状態にすることができる。また、ＭＦＰ制御部１０２は、操作部１０３、リーダ部１０４及びプリントエンジン１０５の低消費電力状態を解除することができる。
【００１２】
１０６は、ＢＬＵＥＴＯＯＴＨの制御を行うＢＬＵＥＴＯＯＴＨユニットである。ＢＬＵＥＴＯＯＴＨユニット１０６は、ＢＬＵＥＴＯＯＴＨデバイスへとのデータ送受信を行う。本実施形態においては、ＭＦＰ１０１は、近距離無線通信としてＢＬＵＥＴＯＯＴＨを利用することとしたが、近距離無線通信であればその他の方式であってもよい。１０７は、ＷＬＡＮの制御を行うＷＬＡＮユニットである。ＷＬＡＮユニット１０７は、ＷＬＡＮデバイスとのデータ送受信を行う。本実施形態においては、ＭＦＰ１０１は、ＷＬＡＮとしてＩＥＥＥ８０２．１１規格に従った無線通信方式を使用するものとするが、その他の無線通信方式でもよい。ＭＦＰ制御部１０２は、ＢＬＵＥＴＯＯＴＨユニット１０６及びＷＬＡＮユニット１０７を低消費電力状態にすることができる。また、ＭＦＰ制御部１０２は、ＢＬＵＥＴＯＯＴＨユニット１０６及びＷＬＡＮユニット１０７の低消費電力状態を解除することができる。
【００１３】
１０８は、ＢＬＵＥＴＯＯＴＨユニット１０６及びＷＬＡＮユニット１０７の制御を行う通信Ｉ／Ｆである。１０９は、各ユニットが相互にデータ送受信を行う際の経路となるシステムバスである。１１０は、ＭＦＰ１０１を統括的に制御するＣＰＵである。ＣＰＵ１１０にかえて、ＣＰＵと、機能ブロック単位でまとめられたハードウェア回路と、を同一パッケージで構成したＬＳＩとしてもよい。尚この部分はＲＯＭ１１２に格納されたプログラムをＣＰＵ１１０が実行することで低消費電力状態にすることができる。また、この部分は、ＲＯＭ１１２に格納されたプログラムをＣＰＵ１１０が実行する事で低消費電力状態を解除することができる。
【００１４】
１１１は、ＲＯＭ１１２に対するデータの読み出し、及び書き込みを制御するためのＲＯＭコントローラである。１１２は、ＭＦＰ制御部１０２のＯＳを起動するためのブートプログラムや、ＭＦＰ１０１全体を統括的に制御するためのプログラムが記憶されている不揮発性のＲＯＭである。ＲＯＭ１１２に記憶されているプログラムとしては、後述の処理で必要なＷＬＡＮのプロトコルの制御、ＢＬＵＥＴＯＯＴＨのプロトコル制御、ＷＬＡＮの接続動作に必要な情報を取得する為の制御等のプログラムが挙げられる。また、ＲＯＭ１１２には、ＭＦＰ１０１の電力制御を行うためのプログラムや制御データも記憶されている。
【００１５】
１１３は、ＲＡＭ１１４に対するデータの読み出し、及び書き込みを制御するためのＲＡＭコントローラである。１１４は、ＭＦＰ制御部１０２の主メモリとして機能し、且つ画像形成処理に係るワーク領域や画像入出力処理の展開領域にも使用される高速で読み書き可能な揮発性ＲＡＭである。ＲＡＭ１１４には、ＷＬＡＮの送受信データや、ＢＬＵＥＴＯＯＴＨの送受信データも一時的に格納される。尚この部分はＲＯＭ１１２に格納されたプログラムをＣＰＵ１１０が実行することで低消費電力状態にすることができる。また、この部分は、ＲＯＭ１１２に格納されたプログラムをＣＰＵ１１０が実行することで低消費電力状態を解除することができる。
【００１６】
１１５は、画像処理部である。画像処理部１１５は、リーダＩ／Ｆ１１６から出力されるＲＧＢデジタル画像データにリーダ系の画像処理を行う。画像処理部１１５はまた、ＭＦＰ１０１内部で生成されたＹＭＣＫの各色成分信号にプリント系の画像処理を施す。１１６は、リーダ部１０４と画像処理部１１５の間でＲＧＢデジタル画像データをハンドリングするリーダＩ／Ｆである。１１７は、プリントエンジン１０５と画像処理部１１５の間でＹＭＣＫ出力ビデオデータをハンドリングするプリンタＩ／Ｆである。
【００１７】
１１８は、ＬＡＮＩ／Ｆ１１９、ＵＳＢ−Ｄ  Ｉ／Ｆ１２０、ＵＳＢ−Ｈ  Ｉ／Ｆ１２１の外部Ｉ／ＦとＲＡＭ１１４の間で、印刷データや画像データの受け渡しを行なうＩ／Ｆ制御部である。１１９は、ネットワークを介して外部の情報機器との間の通信制御を行ない、印刷データの受信を行なうＬＡＮ  Ｉ／Ｆである。１２０は、ＵＳＢを介して外部の情報機器との間の通信制御を行ない、印刷データの受信を行なうＵＳＢ−Ｄ  Ｉ／Ｆである。１２１は、ＵＳＢストレージユニット等の挿抜可能な記憶装置や、課金制御や部門指定制御を可能とするカードリーダや、撮像装置等を制御するためのＵＳＢ−Ｈ  Ｉ／Ｆである。
【００１８】
１２２は、操作部との信号のやり取りをする操作部Ｉ／Ｆである。１２３は、使用者が操作可能なスイッチで、押下する信号が発生し、これを読み取ることでＣＰＵ１１０が押下を認識することができる。１２４は、ＬＥＤであり、点灯状態・消灯状態を切り替えることで、ユーザに対して特定の情報を呈示するものである。１２５は、文字・図形を表示する為のドットマトリクス構造を持つＬＣＤである。１２６は、操作部１０３にあるスイッチ１２３の内容の読み取りや、ＬＥＤ１２４を点灯・消灯制御や、ＬＣＤ１２５の表示内容の制御を行う操作部制御回路である。
【００１９】
図２は、携帯端末装置２０１を示す図である。２０２は、端末制御部である。端末制御部２０２は、プリント基板上に各種ＬＳＩ・ＩＣ等の電気部品を搭載することで実現することができる。端末制御部２０２は、携帯電話通信網に接続して、各種データの送受信を行う。端末制御部２０２はまた、カメラからの画像の読み取り、マイクからの音声信号の入力、スピーカからの音声の出力等を行う。２０３は、操作部である。ユーザからの各種入力及び使用者への各種表示を行う。２０４は、各ユニット・ブロックが相互にデータ送受信を行う際の経路となるシステムバスである。
【００２０】
２０５は、無線Ｉ／Ｆであり、電話用無線部２０６を制御して、携帯電話回線網に接続してデータの送受信を行う。２０６は、携帯電話回線網に接続する電話用無線部である。無線通信を行う高周波回路が搭載される物理層を含む。２０７は、データ通信Ｉ／Ｆ２０８、ＵＳＢ−Ｄ  Ｉ／Ｆ２２０、及びＵＳＢ−Ｈ  Ｉ／Ｆ２２１とＲＡＭ２１４の間で、画像等の各種データの受け渡しを行なうＩ／Ｆ制御部である。２０８は、ＷＬＡＮ、ＮＦＣ（Near  Field  Communication）、ＢＬＵＥＴＯＯＴＨの制御を行うデータ通信Ｉ／Ｆである。２０９は、携帯電話網に対して接続を行う為のアンテナである。
【００２１】
２１０は、携帯端末装置２０１を統括的に制御する高ＣＰＵである。ＣＰＵ２１０に替えて、ＣＰＵと、機能ブロック単位でまとめられたハードウェア回路を同一パッケージで構成したＬＳＩとしてもよい。２１１は、ＲＯＭ２１２に対するデータの読み出し、及び書き込みを制御するためのＲＯＭコントローラである。２１２は、携帯端末装置２０１のＯＳを起動するためのブートプログラムや、携帯端末装置２０１全体を統括的に制御するためのプログラムが記憶されている不揮発性のＲＯＭである。ＲＯＭ２１２には、また、ＷＬＡＮのプロトコルの制御、ＮＦＣのプロトコル制御、印刷データ送信、ユーザの表示操作動作を行う為の制御プログラムが記憶されている。
【００２２】
２１３は、ＲＡＭ２１４に対するデータの読み出し、及び書き込みを制御するためのＲＡＭコントローラである。２１４は、携帯端末装置２０１の主メモリとして機能し、且つ画像形成処理に係るワーク領域、画像入出力処理の展開領域にも使用される、ＲＡＭ２１４は、高速で読み書き可能な揮発性ＲＡＭである。ＲＡＭ２１４には、ＷＬＡＮの送受信データや、ＮＦＣの送受信データも格納される。
【００２３】
２１５は、音声処理部である。２１７は、カメラ２２７から入力された画像信号の処理を行う画像処理部である。２１６は、音声信号の符号化及び符号化された音声データの復号を行う音声コーデックである。２１８は、カメラ２２７から画像信号を入力して画像データに変換するカメラＩ／Ｆである。
【００２４】
２１９は、ＷＬＡＮ、ＮＦＣ、ＢＬＵＥＴＯＯＴＨ等無線通信の制御を行うデータ通信ユニットである。データ通信部２１９は、ＷＬＡＮデバイスやＮＦＣデバイス、ＢＬＵＥＴＯＯＴＨデバイスとのデータ送受信を行う。本実施形態においては、ＷＬＡＮとしてＩＥＥＥ８０２．１１規格に従った無線通信方式を使用するものとするが、その他の無線通信方式でもよい。同様に、本実施形態においては、ＮＦＣを利用しているが、近距離通信であればその他の方式であってもよい。
【００２５】
２２０は、ＵＳＢを介して外部の情報機器との間の通信制御を行なうＵＳＢ−Ｄ  Ｉ／Ｆである。２２１は、ＵＳＢストレージユニット等の挿抜可能な記憶装置を接続するためのＵＳＢ−Ｈ  Ｉ／Ｆである。２２２は、操作部２０３との信号のやり取りをする操作部Ｉ／Ｆである。２２３は、使用者が操作可能なスイッチであり、押下に応じて信号を発生する。ＣＰＵ２１０は、この信号に基づきスイッチ２２３の押下を認識する。
【００２６】
２２４は、文字・図形を表示する為のドットマトリクス構造を持つＬＣＤである。２２５は、操作者の指の位置や圧力等を検出するタッチパネルである。２２６は、スイッチ２２３の押下に応じた内容の読み取りや、ＬＣＤ２２４の表示内容の制御を行う操作部制御回路である。２２７は、画像の入力を行うカメラである。２２８は、通話等で音声信号を入力するマイクである。２２９は、通話等で音声信号を空中に放射するスピーカである。２３０は、センサＩ／Ｆである。ＣＰＵ２１０は、センサＩ／Ｆ２３０、バス２０４を経由して角度センサ２３１の情報を読み取ることができる。２３１は、角度センサである。携帯端末装置２０１の重力方向に対する傾き角度をＸ、Ｙ、Ｚの各軸について検出する。
【００２７】
図３は、携帯端末装置２０１からＭＦＰ１０１に近距離無線通信を介してデータを送信する場合の、携帯端末装置２０１及びＭＦＰ１０１の利用形態の説明図である。３０１はＢＬＵＥＴＯＯＴＨユニット１０６の実装エリアである。実装エリア３０１の下部にモールドのカバーを挟んで、ＢＬＵＥＴＯＯＴＨユニット１０６が内蔵されている。さらに、その先にＷＬＡＮユニット１０７が接続されている。携帯端末装置２０１をこの部分に接近させ通信可能エリアに入ると、ＢＬＵＥＴＯＯＴＨの通信が自動的に開始される。携帯端末装置２０１とＭＦＰ１０１は、距離情報をやり取りすることで、所定の距離以内に入ると省エネ情報の送受信も行う。
【００２８】
以下、図４〜図７を参照しつつ、携帯端末装置２０１が画像印刷のアプリケーションを実行し、ＭＦＰ１０１にデータを送信する目的でＭＦＰ１０１との間の近距離無線通信を行う場合について説明する。なお、以下に説明する携帯端末装置２０１の動作は、ＲＯＭ２１２内部に格納されているプログラムに従って、ＣＰＵ２１０が動作することにより達成される。また、ＢＬＵＥＴＯＯＴＨユニット１０６の動作は、ＢＬＵＥＴＯＯＴＨユニット１０６が備えるＲＯＭに格納されたプログラムに従って、ＢＬＵＥＴＯＯＴＨユニット１０６が備えるＣＰＵが動作することで達成される。
【００２９】
図４は、ＭＦＰ１０１と携帯端末装置２０１の通信制御処理を示すシーケンス図である。まず、Ｓ４０１において、ＭＦＰ１０１のＭＦＰ制御部１０２は、ＢＬＵＥＴＯＯＴＨユニット１０６に対してＡｄｖｅｒｔｉｓｉｎｇ動作の開始を指示する。Ａｄｖｅｒｔｉｓｉｎｇ動作とは、ＢＬＵＥＴＯＯＴＨユニット１０６が定期的に「Ａｄｖｅｒｔｉｓｉｎｇ  Ｐａｃｋｅｔ」を送信する操作であり、ＭＦＰ１０１は、ＢＬＵＥＴＯＯＴＨ搭載機器からの接続要求待ちとなる。このＡｄｖｅｒｔｉｓｉｎｇ  Ｐａｃｋｅｔ内には送信電力データ、送信元のＭＦＰ１０１の個体を識別可能なシリアル番号及びアドレスデータが含まれている。次に、Ｓ４０２において、ＢＬＵＥＴＯＯＴＨユニット１０６は、Ａｄｖｅｒｔｉｓｉｎｇ動作の開始の指示に応じて、Ａｄｖｅｒｔｉｓｉｎｇ動作を開始する。具体的には、ＢＬＵＥＴＯＯＴＨユニット１０６は、定期的に、Ａｄｖｅｒｔｉｓｉｎｇ  Ｐａｃｋｅｔ」を送信する。
【００３０】
一方、Ｓ４１１において、携帯端末装置２０１のＣＰＵ２１０は、ユーザからの指示に応じて、アプリケーションプログラムを起動する。この時、ＣＰＵ２１０は、ＢＬＵＥＴＯＯＴＨの動作制御を行うＢＬＵＥＴＯＯＴＨ制御プログラムも起動する。なお、Ｓ４１１において起動されるアプリケーションプログラムは、携帯端末装置２０１のＲＯＭ２１２又はＲＡＭ２１４に格納されている画像データをＭＦＰ１０１に対して送信し印刷を実行させるものである。図５は、アプリケーションプログラムにより表示される表示画面５０１を示す図である。５０２は印刷の開始を指示するためのボタン表示である。
【００３１】
次に、Ｓ４１２において、ＣＰＵ２１０は、Ａｄｖｅｒｔｉｓｉｎｇ  Ｐａｃｋｅｔを受信したか否かを確認する。ＣＰＵ２１０は、Ａｄｖｅｒｔｉｓｉｎｇ  Ｐａｃｋｅｔを受信した場合には（Ｓ４１２でＹＥＳ）、処理をＳ４１３へ進める。ＣＰＵ２１０は、Ａｄｖｅｒｔｉｓｉｎｇ  Ｐａｃｋｅｔを受信しなかった場合には（Ｓ４１２でＮＯ）、処理をＳ４１５へ進める。Ｓ４１３において、ＣＰＵ２１０は、Ａｄｖｅｒｔｉｓｉｎｇ  Ｐａｃｋｅｔに示されるＭＦＰ１０１のシリアル番号をプリンタリストに追加する。なお、プリンタリストは、携帯端末装置２０１が利用可能なプリンタのプリンタ名やプリンタの情報を記憶する領域である。プリンタリストは、図６を参照しつつ後述するメモリマップ上に確保されている。次に、Ｓ４１４において、ＣＰＵ２１０は、ユーザにより印刷ボタンが押下されたか否かを確認する。ＣＰＵ２１０は、印刷ボタンが押下された場合には（Ｓ４１４でＹＥＳ）、デバイス検査が指示されたと判断し、処理をＳ４１５へ進める。ＣＰＵ２１０は、印刷ボタンが押下されなかった場合には（Ｓ４１４でＮＯ）、処理をＳ４１２へ進める。
【００３２】
Ｓ４１５において、ＣＰＵ２１０は、ユーザに対する角度指示動作を行うか否かを判定する。ここで、角度指示動作とは、ユーザに対し、携帯端末装置２０１とＭＦＰ１０１の近距離無線通信の接続状態を改善するために、携帯端末装置２０１の傾き角度を変更する旨を通知する処理である。図６は、Ｓ４１５の処理において参照されるメモリマップを示す図である。メモリマップには、ワーク領域６０１、角度指示表示可否フラグ６０２、プリンタリスト６０３、画像データ６０４及び空き領域６０５が設けられている。ＣＰＵ２１０は、角度指示表示可否フラグ６０２がオンに設定されている場合に、角度指示動作を行うと判定する。ＣＰＵ２１０は、角度指示動作を行うと判定した場合には（Ｓ４１５でＹＥＳ）、処理をＳ４１６へ進める。ＣＰＵ２１０は、角度指示動作を行わないと判定した場合には（Ｓ４１５でＮＯ）、処理をＳ４２２へ進める。
【００３３】
Ｓ４１６において、ＣＰＵ２１０は、携帯端末装置２０１の傾き角度を特定する（特定処理）。具体的には、ＣＰＵ２１０は、角度センサ２３１による検知結果を取得する。そして、ＣＰＵ２１０は、傾き角度が所定の条件を満たすか否かを判断する（判断処理）。なお、所定の条件とは、近距離無線通信の接続状態が悪く改善が必要な傾き角度の範囲である。図３に示すように、ＭＦＰ１０１が設置された状態において、ＢＬＵＥＴＯＯＴＨユニット１０６の位置の実装エリア３０１の傾きは固定される。したがって、実装エリア３０１の傾きに応じて、接続状態が悪く改善が必要な傾き角度の範囲を予め特定することができる。そこで、本実施形態においては、設計者等が、接続状態が悪く改善が必要な傾き角度の範囲を定め、これを所定の条件として、携帯端末装置２０１のＲＯＭ２１２等に予め設定しておくものとする。
【００３４】
近距離無線通信のための内蔵アンテナは、指向性を持ち、受信感度は、特に水平方向に対する傾き角度に依存する。すなわち、内蔵アンテナに到達した電波強度が同じであっても、傾き角度が異なる場合には、内蔵アンテナの受信強度が低くなることがある。そこで、このように、所定の条件として、接続状態が悪く改善が必要な傾き角度の範囲を設定しておくこととする。本実施形態においては、傾き角度が４５度未満であることが所定の条件として予め設定されているものとする。携帯端末装置２０１は、傾き角度が所定の条件を満たす場合には（Ｓ４１６でＹＥＳ）、処理をＳ４１７へ進める。携帯端末装置２０１は、傾き角度が所定の条件を満たさない場合には（Ｓ４１６でＮＯ）、処理をＳ４２２へ進める。
【００３５】
Ｓ４１７において、ＣＰＵ２１０は、ユーザに携帯端末装置２０１をＭＦＰ１０１における垂直方向（鉛直方向）に向ける指示を示す通知情報をＬＣＤ２２４に表示するよう制御する。なお、本実施形態に係る通知情報は、垂直方向というように、接続状態が改善するような変更後の傾き角度を示すものとする。だだし、通知情報は、単に傾き角度を変更する旨の情報を含めばよく、変更後の傾き角度は必ずしも含まなくともよい。また、Ｓ４１７の処理は、通知情報を出力する出力処理の一例である。なお、他の例としては、ＣＰＵ２１０は、通知情報としての音声をスピーカ２２９から出力してもよい。図７は、通知情報を含む表示画面７０１を示す図である。７０２はＯＫボタンであり、ＯＫボタン７０２が選択されると、ＣＰＵ２１０は、次の動作を開始する。７０３は、次回以降、角度指示動作を行うか否かを指定するチェックボックスである。
【００３６】
次に、Ｓ４１８において、ＣＰＵ２１０は、表示画面７０１のＯＫボタン７０２が押下されるまで待機し、ＯＫボタン７０２が押下されると（Ｓ４１８でＹＥＳ）、処理をＳ４１９へ進める。Ｓ４１９において、ＣＰＵ２１０は、チェックボックス７０３を確認し、次回以降の角度指示動作が必要か否かを確認する。ＣＰＵ２１０は、チェックボックス７０３にチェックが入力された場合には、次回以降、角度指示動作は不要と判断する。一方、チェックボックス７０３にチェックが入力されなかった場合には、ＣＰＵ２１０は、次回以降も、角度指示動作が必要と判断する。ＣＰＵ２１０は、次回以降の角度指示動作が必要と判断した場合には（Ｓ４１９でＹＥＳ）、処理をＳ４２０へ進める。ＣＰＵ２１０は、次回以降の角度指示動作は不要と判断した場合には（Ｓ４１９でＮＯ）、処理をＳ４２１へ進める。
【００３７】
Ｓ４２０において、ＣＰＵ２１０は、「角度指示表示可否フラグ」にオンを設定し、その後処理をＳ４２２へ進める。一方、Ｓ４２１において、ＣＰＵ２１０は、「角度指示表示可否フラグ」にオフを設定し、その後処理をＳ４２２へ進める。Ｓ４２２において、ＣＰＵ２１０は、プリンタ一覧をＬＣＤ２２４に表示する。図８は、プリンタの一覧を表示する表示画面８０１の一例を示す図である。８０２、８０３は、利用可能なプリンタを示すボタンである。ユーザは、ボタンを押下することで、使用するプリンタを選択することができる。
【００３８】
以上のように、本実施形態に係る携帯端末装置２０１は、傾き角度を変更する旨の通知情報を表示することができる。したがって、ユーザがこの通知情報に従い、携帯端末装置２０１を傾けるといった簡単な操作を行うだけで、携帯端末装置２０１は、ＭＦＰ１０１との間の近距離無線通信の接続状態を改善することができる。すなわち、携帯端末装置２０１は、ユーザによる面倒な操作を要することなく、近距離無線通信の接続状態を改善することができる。
【００３９】
なお、本実施形態においては、携帯端末装置２０１は、Ａｄｖｅｒｔｉｓｉｎｇ  Ｐａｃｋｅｔを受信したことを契機に、角度指示動作を行い、傾き角度が所定の条件を満たすか否かの判断を行った。これに対し、変更例としては、携帯端末装置２０１は、アプリケーションプログラムが起動したことを契機に角度指示動作を行ってもよい。また、他の例としては、携帯端末装置２０１は、携帯端末装置２０１の起動時に、角度指示動作を行ってもよい。図９は、アプリケーションプログラムの起動時に角度指示動作を行う場合の、携帯端末装置２０１の処理を示すフローチャートである。携帯端末装置２０１のＣＰＵ２１０は、Ｓ９０１において、アプリケーションを起動した後、処理をＳ９０２へ進める。Ｓ９０２〜Ｓ９０８の処理は、Ｓ４１５〜Ｓ４２１の処理と同様である。そして、携帯端末装置２０１は、Ｓ９０７の処理の後及びＳ９０８の処理の後は、処理をＳ９０９へ進める。Ｓ９０９において、ＣＰＵ２１０は、印刷ボタンが押下されるまで待機し、印刷ボタンが押下されると（Ｓ９０９でＹＥＳ）、処理をＳ９１０へ進める。
【００４０】
Ｓ９１０において、ＣＰＵ２１０は、Ａｄｖｅｒｔｉｓｉｎｇ  Ｐａｃｋｅｔを受信したか否かを確認する。ＣＰＵ２１０は、Ａｄｖｅｒｔｉｓｉｎｇ  Ｐａｃｋｅｔを受信した場合には（Ｓ９１０でＹＥＳ）、処理をＳ９１１へ進める。ＣＰＵ２１０は、Ａｄｖｅｒｔｉｓｉｎｇ  Ｐａｃｋｅｔを受信しなかった場合には（Ｓ９１０でＮＯ）、処理をＳ９１２へ進める。Ｓ９１１において、ＣＰＵ２１０は、Ａｄｖｅｒｔｉｓｉｎｇ  Ｐａｃｋｅｔに示されるＭＦＰ１０１のシリアル番号をプリンタリストに追加し、その後処理をＳ９１０へ進める。また、Ｓ９１２においては、ＣＰＵ２１０は、プリンタ一覧を表示する。
【００４１】
以上、本発明の好ましい実施形態について詳述したが、本発明は係る特定の実施形態に限定されるものではなく、特許請求の範囲に記載された本発明の要旨の範囲内において、種々の変形・変更が可能である。
【００４２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４３】
１０１  ＭＦＰ
２０１  携帯端末装置
【図１】
2017050625.tif 000003
【図２】
2017050625.tif 000004
【図３】
2017050625.tif 000005
【図４】
2017050625.tif 000006
【図５】
2017050625.tif 000007
【図６】
2017050625.tif 000008
【図７】
2017050625.tif 000009
【図８】
2017050625.tif 000010
【図９】
2017050625.tif 000011